【手続補正書】
【提出日】令和1年7月31日(2019.7.31)
【手続補正１】
【補正対象書類名】特許請求の範囲
【補正対象項目名】全文
【補正方法】変更
【補正の内容】
【特許請求の範囲】
【請求項１】
設定可能な帯域幅を使用して通信するための方法であって、
サービング進化型ノードＢ（ｅＮＢ）から制御チャネルを、ユーザ機器（ＵＥ）において、受信することと、ここにおいて、前記制御チャネルは、アロケーションスペースにおいてアップリンク共有データチャネルのためのリソースグラントを含む、ここにおいて、前記アロケーションスペースは、時間ドメインにおける複数のＯＦＤＭシンボルにわたって周波数ドメインにおける複数のリソースブロックグループを含む、ここにおいて、前記リソースグラントは、アロケーションスペースにおけるスターティングリソースブロックグループから開始して、第１に前記周波数ドメインにわたって、および第２に前記時間ドメインにわたって、前記アロケーションスペースにおける前記複数のリソースブロックグループを通して続く、前記時間ドメインにおける複数のＯＦＤＭシンボルにわたって前記周波数ドメインにおける前記複数のリソースブロックグループに含まれる複数のリソースブロックグループを示す、
前記複数のＯＦＤＭシンボルの少なくとも第１の部分にわたって前記複数のリソースブロックグループにおける前記アップリンク共有データチャネルにおいてデータを、前記ＵＥによって、送信することと、
前記アロケーションスペースにおける１つまたは複数の復調基準信号（ＤＭ−ＲＳ）を送信するためのＯＦＤＭシンボルを決定することと、ここにおいて、前記シンボルは、ＤＭ−ＲＳを送信するために複数のＵＥによって使用される、
前記１つまたは複数のＤＭ−ＲＳを送信するための前記ＯＦＤＭシンボル内の１つまたは複数のリソースブロックグループを決定することと、
前記ＯＦＤＭシンボルにおける前記１つまたは複数のリソースブロックグループにおいて前記１つまたは複数のＤＭ−ＲＳを送信することと、
を備える、方法。
【請求項２】
前記スターティングリソースブロックグループは、ガード期間からの複数のシンボルである第１のシンボルにあり、前記複数のシンボルは、前記サービングｅＮＢへの前記ＵＥの近接性に基づく、請求項１に記載の方法。
【請求項３】
前記アップリンク共有データチャネルの少なくとも１つの部分において制御データを、前記ＵＥによって、送信することをさらに備える、請求項１に記載の方法。
【請求項４】
前記アップリンク共有データチャネルにおいて前記制御データを送信するために前記サービングｅＮＢからインジケータを、前記ＵＥによって、受信することをさらに備える、請求項３に記載の方法。
【請求項５】
前記１つまたは複数のリソースブロックグループを決定することは、前記サービングｅＮＢから前記制御チャネルにおいて受信される前記１つまたは複数のリソースブロックグループのインジケーションに少なくとも部分的に基づく、請求項１に記載の方法。
【請求項６】
前記シンボルは、ガード期間の後であり、前記アロケーションスペースの第１のシンボルの前である、請求項１に記載の方法。
【請求項７】
前記サービングｅＮＢから第２の制御チャネルを、前記ＵＥにおいて、受信することと、ここにおいて、前記第２の制御チャネルは、アップリンク制御チャネルのためのスタートインジケータおよび帯域幅を示す第２のリソースグラントを含む、
前記スタートインジケータから対応するサブフレームの終わりまで、第１の持続期間の間に、および前記帯域幅にわたって前記アップリンク制御チャネルにおいて制御データを、前記ＵＥによって、送信することと、
をさらに備える、請求項１に記載の方法。
【請求項８】
前記第２のリソースグラントは、前記アップリンク共有データチャネルのための前記アロケーションスペースにおける第２のスターティングリソースブロックグループから開始する第２の複数のリソースブロックグループを示し、前記アップリンク制御チャネルのための前記帯域幅は、前記アップリンク共有データチャネルのための前記アロケーションスペースに対応する前記複数のシンボルの１つの部分における最初のリソースブロックグループのリソースブロックの少なくとも１つの部分と、前記複数のシンボルの前記部分における最後のリソースブロックグループのリソースブロックの少なくとも別の部分とを、備える、請求項７に記載の方法。
【請求項９】
前記複数のシンボルの前記部分の第１のシンボルは、前記アップリンク共有データチャネルのための前記アロケーションスペースの第１のシンボルから少なくともしきい値数のシンボルだけ遅延される、または、
前記複数のシンボルの複数の前記部分は、前記アップリンク共有データチャネルのための前記アロケーションスペースのサイズに対応する、または、
リソースブロックの前記部分は、前記サービングｅＮＢから１つの構成において受信される前記アップリンク制御チャネルの第２の持続時間に対応する、または、
前記複数のシンボルの前記部分は、前記対応するサブフレームにおける最後のシンボルを備え、前記制御データを送信することは、前記サービングｅＮＢから１つの構成において受信されるインジケーションに基づいて前記最後のシンボルにおける１つまたは複数のリソースブロックグループのリソースブロックにおいて前記制御データを送信することを備える、または、
前記アップリンク制御チャネルのための前記帯域幅は、前記アップリンク共有データチャネルのための前記アロケーションスペースに対応する前記複数のシンボルの第２の部分における第２の最初のリソースブロックグループのリソースブロックの少なくとも第２の部分と、前記複数のシンボルの前記第２の部分における第２の最後のリソースブロックグループのリソースブロックの少なくとも別の第２の部分と、を備える早期帯域幅をさらに備える、
のいずれかである、請求項８に記載の方法。
【請求項１０】
前記第２のリソースグラントは、
ダウンリンク共有データチャネルおよび前記アップリンク共有データチャネル、ここにおいて、前記制御データを送信することは、前記ダウンリンク共有データチャネル上で受信されるデータに関わる肯定応答／否定応答を示すための第１の循環シフト、または、前記アップリンク共有データチャネル上のリソースに対するスケジューリング要求を示すための第２の循環シフト、のうちの少なくとも１つを使用して前記制御データを送信することを備える、または、
前記アップリンク共有データチャネル、ここにおいて、前記制御データを送信することは、前記アップリンク共有データチャネルにおけるリソースに対するスケジューリング要求を示すための第１の循環シフト、または、チャネル品質インジケータを送信することの要求を示すための第２の循環シフト、のうちの少なくとも１つを使用して、前記制御データを、前記ＵＥによって、送信することを備える、
のいずれかに関わるリソースをさらに示す、請求項７に記載の方法。
【請求項１１】
前記制御データを送信することは、パイロット信号を示すための第１の循環シフト、または、前記アップリンク共有データチャネルにおけるリソースに対するスケジューリング要求を示すための第２の循環シフト、のうちの少なくとも１つを使用して前記制御データを、前記ＵＥによって、送信することを備える、請求項７に記載の方法。
【請求項１２】
前記対応するサブフレームの第１の部分において前記サービングｅＮＢからチャネル状態情報（ＣＳＩ）基準信号（ＣＳＩ−ＲＳ）を、前記ＵＥによって、受信することをさらに備え、前記制御データを送信することは、前記アップリンク制御チャネルにおいて前記ＣＳＩ−ＲＳに関わるＣＳＩフィードバックを送信することを含む、または、前記方法は、前記アップリンク共有データチャネルにおいて前記ＣＳＩ−ＲＳに関わるＣＳＩフィードバックを送信することをさらに備える、のいずれかである、請求項７に記載の方法。
【請求項１３】
前記アップリンク共有データチャネルにおいて前記ＣＳＩフィードバックを送信することは、前記アップリンク共有データチャネルが前記アップリンク制御チャネルと衝突することを決定することに少なくとも部分的に基づく、請求項１２に記載の方法。
【請求項１４】
設定可能な帯域幅を使用して通信するための装置であって、
サービング進化型ノードＢ（ｅＮＢ）から制御チャネルを、ユーザ機器（ＵＥ）において、受信するための手段と、ここにおいて、前記制御チャネルは、アロケーションスペースにおいてアップリンク共有データチャネルのためのリソースグラントを含む、ここにおいて、前記アロケーションスペースは、時間ドメインにおける複数のＯＦＤＭシンボルにわたって周波数ドメインにおける複数のリソースブロックグループを含む、ここにおいて、前記リソースグラントは、アロケーションスペースにおけるスターティングリソースブロックグループから開始して、第１に前記周波数ドメインにわたって、および第２に前記時間ドメインにわたって、前記アロケーションスペースにおける前記複数のリソースブロックグループを通して続く、前記時間ドメインにおける複数のＯＦＤＭシンボルにわたって前記周波数ドメインにおける前記複数のリソースブロックグループに含まれる複数のリソースブロックグループを示す、
前記複数のＯＦＤＭの少なくとも第１の部分にわたって前記複数のリソースブロックにおける前記アップリンク共有データチャネルにおいてデータを、前記ＵＥによって、送信するための手段と、
前記アロケーションスペースにおける１つまたは複数の復調基準信号（ＤＭ−ＲＳ）を送信するためのＯＦＤＭシンボルを決定するための手段と、ここにおいて、前記シンボルは、ＤＭ−ＲＳを送信するために複数のＵＥによって使用される、
前記１つまたは複数のＤＭ−ＲＳを送信するための前記ＯＦＤＭシンボル内の１つまたは複数のリソースブロックグループを決定するための手段と、
前記ＯＦＤＭシンボルにおける前記１つまたは複数のリソースブロックグループにおいて前記１つまたは複数のＤＭ−ＲＳを送信するための手段と、
を備える、装置。
【請求項１５】
設定可能な帯域幅を使用して通信するためのコンピュータ実行可能コードを記憶するコンピュータ可読媒体であって、前記コードは、請求項１〜１３のうちのいずれか一項の方法を実行するためのコードを備える、コンピュータ可読媒体。
【手続補正２】
【補正対象書類名】明細書
【補正対象項目名】０１１０
【補正方法】変更
【補正の内容】
【０１１０】
[00123]  先の説明は、いかなる当業者にも本書で説明されたさまざまな態様を実施することを可能にするために、提供される。これらの態様へのさまざまな修正は、当業者に容易に明らかとなり、本書に定義された包括的な原理は、他の態様に適用され得る。かくして、特許請求の範囲は、本書に示された態様に限定されることは意図されてはいないが、特許請求の範囲の文言と一致する全範囲を付与されるべきであり、ここにおいて、単数形での要素への言及は、そうであると具体的に記載されない限り、「１つおよび１つのみ」を意味することは意図されず、むしろ「１つまたは複数」を意味することが意図される。そうでないと具体的に記載されない限り、「いくつかの」という用語は、１つ以上を指す。当業者に既知の、または後に周知となる、本書に説明されたさまざまな態様の要素と構造的および機能的に同等な物はすべて、参照によって本書に明確に組み込まれ、特許請求の範囲に包含されることが意図される。さらに、本書で開示されたものが、特許請求の範囲の中に明示的に記載されているか否かに関わらず、公に捧げられることを意図していない。要素が「〜のための手段」というフレーズを使用して明確に記載されていない限り、どの請求項の要素もミーンズプラスファンクション（means plus function）として解釈されるべきではない。
以下に本願の出願当初の特許請求の範囲に記載された発明を付記する。
［Ｃ１］
設定可能な帯域幅を使用して通信するための方法であって、
サービング進化型ノードＢ（ｅＮＢ）から制御チャネルを、ユーザ機器（ＵＥ）において、受信することと、ここにおいて、前記制御チャネルは、アロケーションスペースにおいてスターティングリソースブロックグループから開始する複数のリソースブロックグループを含むアップリンク共有データチャネルのためのリソースグラントを含む、ここにおいて、前記アロケーションスペースは、時間ドメインにおける複数のシンボルに対して周波数ドメインにおける複数のリソースブロックグループを含む、
前記アロケーションスペースにおける前記スターティングリソースブロックグループから開始して、第１に前記周波数ドメインにわたって、および第２に前記時間ドメインにわたって、前記アロケーションスペースにおける前記複数のリソースブロックグループを通して続く、前記アップリンク共有データチャネルにおいてデータを、前記ＵＥによって、送信することと、
を備える、方法。
［Ｃ２］
前記スターティングリソースブロックグループは、ガード期間からの複数のシンボルである第１のシンボルにあり、前記複数のシンボルは、前記サービングｅＮＢへの前記ＵＥの近接性に基づく、Ｃ１に記載の方法。
［Ｃ３］
前記アップリンク共有データチャネルの少なくとも１つの部分において制御データを、前記ＵＥによって、送信することをさらに備える、Ｃ１に記載の方法。
［Ｃ４］
前記アップリンク共有データチャネルにおいて前記制御データを送信するために前記サービングｅＮＢからインジケータを、前記ＵＥによって、受信することをさらに備える、Ｃ３に記載の方法。
［Ｃ５］
前記アロケーションスペースにおける１つまたは複数の復調基準信号（ＤＭ−ＲＳ）を送信するためのシンボルを決定することと、ここにおいて、前記シンボルは、ＤＭ−ＲＳを送信するために複数のＵＥによって使用される、
前記１つまたは複数のＤＭ−ＲＳを送信するための前記シンボル内の１つまたは複数のリソースブロックグループを決定することと、
前記シンボルにおける前記１つまたは複数のリソースブロックグループにおいて前記１つまたは複数のＤＭ−ＲＳを送信することと、
をさらに備える、Ｃ１に記載の方法。
［Ｃ６］
前記１つまたは複数のリソースブロックグループを決定することは、前記サービングｅＮＢから前記制御チャネルにおいて受信される前記１つまたは複数のリソースブロックグループのインジケーションに少なくとも部分的に基づく、Ｃ５に記載の方法。
［Ｃ７］
前記シンボルは、ガード期間の後であり、前記アロケーションスペースの第１のシンボルの前である、Ｃ５に記載の方法。
［Ｃ８］
前記サービングｅＮＢから第２の制御チャネルを、前記ＵＥにおいて、受信することと、ここにおいて、前記第２の制御チャネルは、アップリンク制御チャネルのためのスタートインジケータおよび帯域幅を示す第２のリソースグラントを含む、
前記スタートインジケータから対応するサブフレームの終わりまで、第１の持続期間の間に、および前記帯域幅にわたって前記アップリンク制御チャネルにおいて制御データを、前記ＵＥによって、送信することと、
をさらに備える、Ｃ１に記載の方法。
［Ｃ９］
前記第２のリソースグラントは、前記アップリンク共有データチャネルのための前記アロケーションスペースにおける第２のスターティングリソースブロックグループから開始する第２の複数のリソースブロックを示し、前記アップリンク共有データチャネルのための前記帯域幅は、前記アップリンク制御チャネルのための前記アロケーションスペースに対応する前記複数のシンボルの１つの部分における最初のリソースブロックグループのリソースブロックの少なくとも１つの部分と、前記複数のシンボルの前記部分における最後のリソースブロックグループのリソースブロックの少なくとも別の部分とを、備える、Ｃ８に記載の方法。
［Ｃ１０］
前記複数のシンボルの前記部分の第１のシンボルは、前記アップリンク共有データチャネルのための前記アロケーションスペースの第１のシンボルから少なくともしきい値数のシンボルだけ遅延される、Ｃ９に記載の方法。
［Ｃ１１］
前記複数のシンボルの複数の前記部分は、前記アップリンク共有データチャネルのための前記アロケーションスペースのサイズに対応する、Ｃ９に記載の方法。
［Ｃ１２］
リソースブロックの前記部分は、前記サービングｅＮＢから１つの構成において受信される前記アップリンク制御チャネルの第２の持続時間に対応する、Ｃ９に記載の方法。
［Ｃ１３］
前記複数のシンボルの前記部分は、前記対応するサブフレームにおける最後のシンボルを備え、前記制御データを送信することは、前記サービングｅＮＢから１つの構成において受信されるインジケーションに基づいて前記最後のシンボルにおける１つまたは複数のリソースブロックグループのリソースブロックにおいて前記制御データを送信することを備える、Ｃ９に記載の方法。
［Ｃ１４］
前記アップリンク制御チャネルのための前記帯域幅は、前記アップリンク共有データチャネルのための前記アロケーションスペースに対応する前記複数のシンボルの第２の部分における第２の最初のリソースブロックグループのリソースブロックの少なくとも第２の部分と、前記複数のシンボルの前記第２の部分における第２の最後のリソースブロックグループのリソースブロックの少なくとも別の第２の部分と、を備える早期帯域幅をさらに備える、Ｃ９に記載の方法。
［Ｃ１５］
前記第２のリソースグラントは、ダウンリンク共有データチャネルおよび前記アップリンク共有データチャネルに関わるリソースを示し、前記制御データを送信することは、前記ダウンリンク共有データチャネル上で受信されるデータに関わる肯定応答／否定応答を示すための第１の循環シフト、または、前記アップリンク共有データチャネル上のリソースに対するスケジューリング要求を示すための第２の循環シフト、のうちの少なくとも１つを使用して前記制御データを送信することを備える、Ｃ８に記載の方法。
［Ｃ１６］
前記第２のリソースグラントは、前記アップリンク共有データチャネルに関わるリソースを示し、前記制御データを送信することは、前記アップリンク共有データチャネルにおけるリソースに対するスケジューリング要求を示すための第１の循環シフト、または、チャネル品質インジケータを送信することの要求を示すための第２の循環シフト、のうちの少なくとも１つを使用して、前記制御データを、前記ＵＥによって、送信することを備える、Ｃ８に記載の方法。
［Ｃ１７］
前記制御データを送信することは、パイロット信号を示すための第１の循環シフト、または、前記アップリンク共有データチャネルにおけるリソースに対するスケジューリング要求を示すための第２の循環シフト、のうちの少なくとも１つを使用して前記制御データを、前記ＵＥによって、送信することを備える、Ｃ８に記載の方法。
［Ｃ１８］
前記対応するサブフレームの第１の部分において前記サービングｅＮＢからチャネル状態情報（ＣＳＩ）基準信号（ＣＳＩ−ＲＳ）を、前記ＵＥによって、受信することをさらに備え、前記制御データを送信することは、前記アップリンク制御チャネルにおいて前記ＣＳＩ−ＲＳに関わるＣＳＩフィードバックを送信することを含む、Ｃ８に記載の方法。
［Ｃ１９］
前記対応するサブフレームの第１の部分における前記サービングｅＮＢからＣＳＩ−ＲＳを受信することと、
前記アップリンク共有データチャネルにおいて前記ＣＳＩ−ＲＳに関わるＣＳＩフィードバックを送信することと、をさらに備える、Ｃ８に記載の方法。
［Ｃ２０］
前記アップリンク共有データチャネルにおいて前記ＣＳＩフィードバックを送信することは、前記アップリンク制御チャネルが前記アップリンク制御チャネルと衝突することを決定することに少なくとも部分的に基づく、Ｃ１９に記載の方法。
［Ｃ２１］
設定可能な帯域幅を使用して通信するための装置であって、
トランシーバと、
メモリと、
前記トランシーバおよび前記メモリに通信可能に結合された少なくとも１つのプロセッサを備え、ここにおいて、前記少なくとも１つのプロセッサは、
サービング進化型ノードＢ（ｅＮＢ）から制御チャネルを受信することと、ここにおいて、前記制御チャネルは、アロケーションスペースにおいてスターティングリソースブロックグループから開始する複数のリソースブロックグループを含むアップリンク共有データチャネルのためのリソースグラントを含む、ここにおいて、前記アロケーションスペースは、時間ドメインにおける複数のシンボルに対して周波数ドメインにおける複数のリソースブロックグループを含む、
前記アロケーションスペースにおける前記スターティングリソースブロックグループから開始して、第１に前記周波数ドメインにわたって、および第２に前記時間ドメインにわたって、前記アロケーションスペースにおける前記複数のリソースブロックグループを通して続く、前記アップリンク共有データチャネルにおいてデータを送信することと、
を行うように構成される、装置。
［Ｃ２２］
前記スターティングリソースブロックグループは、ガード期間からの複数のシンボルである第１のシンボルにあり、前記複数のシンボルは、前記サービングｅＮＢへの近接性に基づく、Ｃ２１に記載の装置。
［Ｃ２３］
前記少なくとも１つのプロセッサは、前記アップリンク共有データチャネルの少なくとも１つの部分における制御データを送信するようにさらに構成される、Ｃ２１に記載の装置。
［Ｃ２４］
前記少なくとも１つのプロセッサは、前記アップリンク共有データチャネルにおいて前記制御データを送信するために前記サービングｅＮＢからインジケータを受信するようにさらに構成される、Ｃ２３に記載の装置。
［Ｃ２５］
前記少なくとも１つのプロセッサは、
前記アロケーションスペースにおける１つまたは複数の復調基準信号（ＤＭ−ＲＳ）を送信するためのシンボルを決定することと、ここにおいて、前記シンボルは、ＤＭ−ＲＳを送信するために複数のＵＥによって使用される、
前記１つまたは複数のＤＭ−ＲＳを送信するための前記シンボル内の１つまたは複数のリソースブロックグループを決定することと、
前記シンボルを通じて前記１つまたは複数のリソースブロックグループにおいて前記１つまたは複数のＤＭ−ＲＳを送信することと、
を行うようにさらに構成される、Ｃ２１に記載の装置。
［Ｃ２６］
前記少なくとも１つのプロセッサは、前記サービングｅＮＢから前記制御チャネルにおいて受信される前記１つまたは複数のリソースブロックグループのインジケーションに少なくとも部分的に基づいて、前記１つまたは複数のリソースブロックグループを決定する、Ｃ２５に記載の装置。
［Ｃ２７］
設定可能な帯域幅を使用して通信するための装置であって、
サービング進化型ノードＢ（ｅＮＢ）から制御チャネルを、ユーザ機器（ＵＥ）において、受信するための手段と、ここにおいて、前記制御チャネルは、アロケーションスペースにおいてスターティングリソースブロックグループから開始する複数のリソースブロックグループを含むアップリンク共有データチャネルのためのリソースグラントを含む、ここにおいて、前記アロケーションスペースは、時間ドメインにおける複数のシンボルに対して周波数ドメインにおける複数のリソースブロックグループを含む、
前記アロケーションスペースにおける前記スターティングリソースブロックグループから開始して、第１に前記周波数ドメインにわたって、および第２に前記時間ドメインにわたって、前記アロケーションスペースにおける前記複数のリソースブロックグループを通して続く、前記アップリンク共有データチャネルにおいてデータを、前記ＵＥによって、送信するための手段と、
を備える、装置。
［Ｃ２８］
前記スターティングリソースブロックグループは、ガード期間からの複数のシンボルである第１のシンボルにあり、前記複数のシンボルは、前記サービングｅＮＢへの前記ＵＥの近接性に基づく、Ｃ２７に記載の装置。
［Ｃ２９］
設定可能な帯域幅を使用して通信するためのコンピュータ実行可能コードを記憶するコンピュータ可読媒体であって、前記コードは、
サービング進化型ノードＢ（ｅＮＢ）から制御チャネルを、ユーザ機器（ＵＥ）において、受信するためのコードと、ここにおいて、前記制御チャネルは、アロケーションスペースにおいてスターティングリソースブロックグループから開始する複数のリソースブロックグループを含むアップリンク共有データチャネルのためのリソースグラントを含む、ここにおいて、前記アロケーションスペースは、時間ドメインにおける複数のシンボルに対して周波数ドメインにおける複数のリソースブロックグループを含む、
前記アロケーションスペースにおける前記スターティングリソースブロックグループから開始して、第１に前記周波数ドメインにわたって、および第２に前記時間ドメインにわたって、前記アロケーションスペースにおける前記複数のリソースブロックグループを通して続く、前記アップリンク共有データチャネルにおいてデータを、前記ＵＥによって、送信するためのコードと、
を備える、コンピュータ可読媒体。
［Ｃ３０］
前記スターティングリソースブロックグループは、ガード期間からの複数のシンボルである第１のシンボルにあり、前記複数のシンボルは、前記サービングｅＮＢへの前記ＵＥの近接性に基づく、Ｃ２９に記載のコンピュータ可読媒体。